【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
それぞれ個別にテレビジョン放送を受信する第１及び第２の受信手段と、
上記第１の受信手段で受信したテレビジョン放送に多重化された映像データを復号し、番組映像として出力する復号手段と、
上記第２の受信手段で受信したテレビジョン放送に多重化された映像データを構成する画像データの一部を実行するソフトウェアによって復号し、番組画像を生成して出力する情報処理手段と
を具えることを特徴とするテレビジョン放送受信装置。
【請求項２】
上記テレビジョン放送はフレーム間予測符号化が施され、
上記情報処理手段は、上記映像データのうちのフレーム内符号化画像の画像データを復号して上記番組画像として出力する
ことを特徴とする請求項１に記載のテレビジョン放送受信装置。
【請求項３】
上記第２の受信手段で受信したテレビジョン放送に多重化された付加データを当該テレビジョン放送から分離する付加データ分離手段と、
上記情報処理手段で復号された上記番組画像を、上記付加データ分離手段によって分離された付加データに含まれる番組情報に付加して出力する番組情報出力手段と
を具えることを特徴とする請求項１に記載のテレビジョン放送受信装置。
【請求項４】
上記第２の受信手段は、上記第１の受信手段で受信していないチャンネルのテレビジョン放送を順次選択して受信し、
上記情報処理手段は、
上記第２の受信手段が順次選択して受信したテレビジョン放送それぞれについて、上記番組画像を生成する
ことを特徴とする請求項１に記載のテレビジョン放送受信装置。
【請求項５】
上記第２の受信手段が順次選択して受信したテレビジョン放送それぞれについて生成した上記番組画像を記憶する記憶手段と、
上記第２の受信手段で受信したテレビジョン放送に多重化された付加データを当該テレビジョン放送から分離する付加データ分離手段と、
上記記憶手段で記憶された上記複数の番組画像を、上記付加データ分離手段によって分離された付加データに含まれる番組情報に付加して電子番組表として一覧を出力する番組情報出力手段と
を具えることを特徴とする請求項４に記載のテレビジョン放送受信装置。
【請求項６】
受信したテレビジョン放送に多重化された映像データのうちのフレーム内符号化画像を選択する画像データ選択ステップと、
上記選択ステップで選択された上記フレーム内符号化画像の画像データを復号して番組画像を生成する復号ステップと、
上記受信したテレビジョン放送に多重化された付加データから番組情報を抽出し、当該番組情報に上記番組画像を付加して出力する情報出力手段と
を具えることを特徴とする番組情報処理方法。
【請求項７】
受信したテレビジョン放送に多重化された映像データのうちのフレーム内符号化画像を選択する画像データ選択ステップと、
上記選択ステップで選択された上記フレーム内符号化画像の画像データを復号して番組画像を生成する復号ステップと、
上記受信したテレビジョン放送に多重化された付加データから番組情報を抽出し、当該番組情報に上記番組画像を付加して出力する情報出力手段と
を具えることを特徴とする番組情報処理プログラム。
【手続補正２】
【補正対象書類名】明細書
【補正対象項目名】全文
【補正方法】変更
【補正の内容】
【発明の詳細な説明】
【発明の名称】テレビジョン放送受信装置、番組情報処理方法、および番組情報処理プログラム
【技術分野】
【０００１】
本発明はテレビジョン放送受信装置に関し、特に多重化されたディジタルテレビジョン放送を受信するテレビジョン放送受信装置に適用して好適なものである。
【背景技術】
【０００２】
従来、ディジタルテレビジョン装置やディジタルテレビジョンチューナ等のディジタルテレビジョン放送受信装置において、ストリームを分離するデマルチプレクサを複数設けておき、メインのデマルチプレクサを用いてユーザが視聴しようとする番組（以下、これを表番組と呼ぶ）を抽出しデコーダで復号して表示するとともに、サブのマルチプレクサを用いて裏番組の番組情報（番組タイトルや番組内容、チャンネル番号等）を取得し、当該番組情報を、画面の一部に設けられた情報表示領域に表示するようになされたものがある（例えば、特許文献１参照）。
【特許文献１】特開２００４−７２２８公報
【発明の開示】
【発明が解決しようとする課題】
【０００３】
ところが上述した構成のディジタルテレビジョン放送受信装置では、表示される裏番組の番組情報は文字情報のみであり、情報表示領域の中で表示できる文字数は限られることから、当該番組情報の内容を一目で理解させることは困難であるという問題があった。
【０００４】
本発明は以上の点を考慮してなされたもので、簡易な構成で、視聴中以外の番組の内容をユーザに対してわかりやすく提供することができるテレビジョン放送受信装置を提案しようとするものである。
【課題を解決するための手段】
【０００５】
かかる課題を解決するため本発明においては、それぞれ個別にテレビジョン放送を受信する第１及び第２の受信手段と、第１の受信手段で受信したテレビジョン放送に多重化された映像データを復号し番組映像として出力する復号手段と、第２の受信手段で受信したテレビジョン放送に多重化された映像データを構成する画像データの一部を実行するソフトウェアによって復号し、番組画像を生成して出力する情報処理手段とをテレビジョン放送受信装置に設けた。
【０００６】
これにより、別途復号手段を設けることなく、裏番組の番組画像を得ることができる。
【０００７】
また本発明においては、テレビジョン放送はフレーム間予測符号化が施され、情報処理手段は映像データのうちのフレーム内符号化画像の画像データを復号して番組画像として出力するようにした。
【０００８】
それ単独で復号できるフレーム内符号化画像を選択して復号することにより、復号に要する処理負荷やメモリ量を削減することができる。
【０００９】
さらに本発明においては、第２の受信手段で受信したテレビジョン放送に多重化された付加データを当該テレビジョン放送から分離する付加データ分離手段と、情報処理手段で復号された番組画像を、付加データによって分離された付加データに含まれる番組情報に付加して出力する番組情報出力手段とを設けた。
【００１０】
そして、第２の受信手段は、第１の受信手段で受信していないチャンネルのテレビジョン放送を順次選択して受信し、情報処理手段は、第２の受信手段が順次選択して受信したテレビジョン放送それぞれについて番組画像を生成するようにした。
【００１１】
第１の受信手段で受信していない各番組の番組画像を番組情報に付加して出力することにより、視聴中以外の番組の内容をユーザに対してわかりやすく提供することができる。
【発明の効果】
【００１２】
本発明によれば、簡易な構成で、視聴中以外の番組の内容をユーザに対してわかりやすく提供することができるテレビジョン放送受信装置を実現できる。
【発明を実施するための最良の形態】
【００１３】
以下図面について、本発明の一実施の形態を詳述する。
【００１４】
（１）ディジタルテレビジョン装置の全体構成
図１において、１は全体として本発明の一実施の形態のディジタルテレビジョン装置を示し、ＣＰＵ１０が装置全体を制御するようになされている。
【００１５】
このディジタルテレビジョン装置１は、現在視聴中または録画中の表番組を受信するためのメインチューナ１１に加え、裏番組を受信するための２つのサブチューナ１２Ａ、１２Ｂを有している。さらにディジタルテレビジョン装置１は、表番組をデマルチプレクスするためのメインデマルチプレクサ１３に加え、裏番組をデマルチプレクスするための２つのサブデマルチプレクサ１４Ａ、１４Ｂを有している。
【００１６】
第１の受信手段としてのメインチューナ１１及び第２の受信手段としての２個のサブチューナ１２Ａ、１２Ｂは、アンテナ（図示せず）を介して受信したディジタル放送波を選局及び復調してトランスポートストリームを生成し、これを切換スイッチ１５に供給する。
【００１７】
またＩＥＥＥ（Institute of Electrical and Electronics Engineers）１３９４ポート１６は、ハードディスクレコーダ等の録画機器（図示せず）から供給されるトランスポートストリームを切換スイッチ１５に供給する。ＨＤＤ（Hard Disk Drive）ストリームバッファ１７は、ハードディスクドライブ１８から読み出されたトランスポートストリームを切換スイッチ１５に供給する。
【００１８】
切換スイッチ１５はＣＰＵ１０の制御に応じて、メインチューナ１１、サブチューナ１２Ａ及び１２Ｂ、ＩＥＥＥ１３９４ポート１６並びにＨＤＤストリームバッファ１７から供給されたトランスポートストリームを選択し、メインデマルチプレクサ１３またはサブデマルチプレクサ１４Ａ及び１４Ｂに供給する。
【００１９】
ここで、ディジタルテレビジョン放送では１つのディジタル放送波に複数番組の番組データが多重化されている。メインデマルチプレクサ１３は、メインチューナ１１から供給されるトランスポートストリームから、ユーザが選択した表番組の番組データを抽出し、これを映像データ、音声データ及び付加データに分離（デマルチプレクス）する。そしてメインデマルチプレクサ１３は、分離した映像データをＭＰＥＧ（Motion Picture Experts Group)ビデオデコーダ１９に供給する。復号手段としてのＭＰＥＧビデオデコーダ１９は、分離された映像データをＭＰＥＧ復号して映像信号を生成し、これを後段の表示部２０に供給することにより表番組の映像を表示する。
【００２０】
一方、付加データ分離手段としてのサブデマルチプレクサ１４Ａは、サブチューナ１２Ａ又は１２Ｂから供給されるトランスポートストリームから裏番組の付加データを分離し、メモリ２１に記憶する。またサブデマルチプレクサ１４Ｂは、サブチューナ１２Ａ又は１２Ｂから供給されるトランスポートストリームから裏番組を抽出してハードディスクドライブ１８に記録する。
【００２１】
またＣＰＵ１０はユーザの操作に応じて、メモリ２１に記憶されている裏番組の付加データを取得し、当該付加データに基づく裏番組の番組情報を、表示中の表番組に重畳して表示部２０に表示する。
【００２２】
（２）本発明のディジタルテレビジョン装置による裏番組画像の表示
ここで、上述した裏番組の番組情報とともに当該裏番組の映像自体を表示することができれば、ユーザに対して裏番組の内容をより詳細に提示することができると考えられる。ところが裏番組の映像データを復号するためには、回路規模の大きなＭＰＥＧビデオデコーダを新たにもう１つ設ける必要があるとともに、映像のデコードには大量のＭＰＥＧビデオキャプチャバッファが必要であり、これによりディジタルテレビジョン装置の構成が複雑になってしまうという問題がある。
【００２３】
このため本発明のディジタルテレビジョン装置１では、サブデマルチプレクサ１４Ａ又は１４Ｂで分離した裏番組の映像データを、情報処理手段としてのＣＰＵ１０上で実行されるプログラムによってソフトウェアデコードするようにした。しかしながら、映像データの動画像全てをソフトウェアデコードするには多大なＣＰＵパワーが必要となり現実的ではない。
【００２４】
そこでディジタルテレビジョン装置１では、裏番組の映像データの一部を静止画像としてデコードし、番組画像として表示するようにした。これにより、裏番組用のＭＰＥＧビデオデコーダを省略することができるとともに、図３に示すメモリ２１の裏番組用のＭＰＥＧビデオキャプチャバッファ２１Ａ及びＭＰＥＧビデオフレームバッファ２１Ｂを不要とすることができる。
【００２５】
実際上、ディジタルテレビジョン放送の映像データはフレーム間予測を用いたＭＰＥＧ２方式でエンコードされており、Ｐピクチャ及びＢピクチャをデコードするためには参照先のピクチャを予めデコードしておく必要があるが、フレーム内符号化画像であるＩピクチャは、それ単独でデコードすることができる。このためディジタルテレビジョン装置１では、裏番組の映像データの内のＩピクチャの画像データのみを選択してデコードするようにした。これにより、復号に要する処理負荷やワークメモリを削減することができる。
【００２６】
またディジタルテレビジョン装置１は、Ｉピクチャをデコードすると同時にＪＰＥＧ変換することにより、デコード後の番組画像のデータサイズを削減するようにした。例えば１９２０×１０８０ピクセルのＨＤ（high−definition）画像１枚のデータサイズは２ＭＢ程度であるが、ＪＰＥＧ変換することによって２００ｋＢ程度となる。これにより、各裏番組の番組画像を蓄積しておくための裏番組画像キャッシュ２１Ｃ（図３）のサイズを大幅に削減することができる。
【００２７】
そしてディジタルテレビジョン装置１は、現在視聴中のチャンネル以外の各チャンネルを順次選局して番組画像及び付加データをメモリ２１に蓄積し、当該番組画像を付加データから抽出した番組情報とともに電子番組表として一覧表示したり、表示画面に設けられた裏番組情報表示領域（後述）に順次表示していく。
【００２８】
次に、ディジタルテレビジョン装置１が裏番組の番組画像をデコードして蓄積するための処理手順を、図２に示すフローチャートを用いて詳細に説明する。
【００２９】
ディジタルテレビジョン装置１のＣＰＵ１０は、当該ディジタルテレビジョン装置１が起動されると、静止画像取得処理手順ルーチンＲＴ１の開始ステップから入ってステップＳＰ１に移り、サブチューナ１２Ａ又は１２Ｂを制御して番組画像及び番組情報を取得しようとする視聴中でないチャンネルを選局し、次のステップＳＰ２に移る。
【００３０】
ステップＳＰ２においてＣＰＵ１０は、サブデマルチプレクサ１４Ａ又は１４Ｂを制御し、サブチューナ１２Ａ又は１２Ｂから供給されるトランスポートストリームに多重化された複数番組のうち、番組画像及び番組情報を取得しようとする番組の受信データから付加データ及び映像データを分離し、当該分離した付加データを図３に示すメモリ２１の裏番組付加データキャッシュ２１Ｄ（図３）に書き出すとともに、映像データをメモリ２１の裏番組ＭＰＥＧビデオコードバッファ２１Ｅに書き出していく。
【００３１】
ここで、上述したようにディジタルテレビジョン装置１は、映像データのＩピクチャのみを選択して番組画像にデコードすることにより、当該裏番組ＭＰＥＧビデオコードバッファ２１Ｅを削減することができる。すなわち、映像データの全てのピクチャをデコードするためには、裏番組ＭＰＥＧビデオコードバッファ２１Ｅとして１．５ＭＢ程度を必要とするのに対し、Ｉピクチャのみをデコードする場合は２ピクチャ分の３２０ｋＢ程度あれば良い。
【００３２】
次のステップＳＰ３においてＣＰＵ１０は、メモリ２１の裏番組ＭＰＥＧビデオコードバッファ２１Ｅに書き出し中の映像データのピクチャタイプがＩピクチャであるかを判定する。ステップＳＰ３においてピクチャタイプがＩピクチャ以外のタイプであると判定した場合、ＣＰＵ１０はステップＳＰ４に移って次のピクチャの書き出しを待ち受け、次のピクチャの書き出しが開始されるとステップＳＰ３に戻る。
【００３３】
これに対して、ステップＳＰ３においてピクチャタイプがＩピクチャであると判定した場合、ＣＰＵ１０はステップＳＰ５に移って当該Ｉピクチャの書き出し終了を待ち、書き出しが終了すると次のステップＳＰ６に移る。
【００３４】
ステップＳＰ６においてＣＰＵ１０は、ＩピクチャをソフトウェアデコードするとともにＪＰＥＧ変換して裏番組の番組画像を生成し、これを裏番組画像キャッシュ２１Ｃに書き出して次のステップＳＰ７に移る。
【００３５】
ステップＳＰ７においてＣＰＵ１０は、選局したチャンネルの全ての番組について静止画像を生成したか否かを判定する。ステップＳＰ７において、全ての番組についての番組画像を生成し終わっていないと判定した場合、ＣＰＵ１０はステップＳＰ２に戻り、次の番組を選択して再度ステップＳＰ２〜ＳＰ７を繰り返す。これに対して、ステップＳＰ７において全ての番組についての番組画像を生成したと判定した場合、ＣＰＵ１０はステップＳＰ１に戻り、次のチャンネルを選択して再度ステップＳＰ１〜ＳＰ７を繰り返す。
【００３６】
このようにしてディジタルテレビジョン装置１は、今現在メインチューナ１１で受信していないチャンネルを順次巡回して裏番組の付加データ及び番組画像を取得し、メモリ２１に格納していく。
【００３７】
そして番組情報出力手段としてのＣＰＵ１０は、メモリ２１に格納しておいた静止画像及び付加データから抽出した番組情報を用いて、図４に示す電子番組表画面３０において各番組の番組情報３０Ａとともに番組画像３０Ｂを表示したり、図５に示す裏番組情報表示領域４０に、各裏番組の番組情報４０Ａ及び番組画像４０Ｂを順次表示する。
【００３８】
（３）動作及び効果
以上の構成においてディジタルテレビジョン装置１は、メインチューナ１１、メインデマルチプレクサ１３及びＭＰＥＧビデオデコーダ１９を用いて表番組を受信しデコードして表示する一方、サブチューナ１２Ａ、１２Ｂ及びサブデマルチプレクサ１４Ａ、１４Ｂを用いて各裏番組の付加データを取得し、メモリ２１の裏番組付加データキャッシュ２１Ｄに格納していく。
【００３９】
これに加えてディジタルテレビジョン装置１のＣＰＵ１０は、各裏番組の映像データにおけるＩピクチャを番組画像としてソフトウェアデコードし、裏番組画像キャッシュ２１Ｃに格納していく。
【００４０】
そしてディジタルテレビジョン装置１のＣＰＵ１０は、付加データから抽出した番組情報及び番組画像を用いて、電子番組表画面３０において各番組の番組情報３０Ａとともに番組画像３０Ｂを表示したり、表番組とともに表示される裏番組情報表示領域４０に裏番組の番組情報４０Ａ及び番組画像４０Ｂを順次表示していく。このようにディジタルテレビジョン装置１は、文字による番組情報とともに番組画像を表示することにより、番組の内容をユーザに対してより詳細に提示することができる。
【００４１】
ここでこのディジタルテレビジョン装置１は、番組画像をＣＰＵ１０によるソフトウェアデコードで生成するようにしたことにより、裏番組用のＭＰＥＧビデオデコーダを設けることなく、簡易な構成で各番組の番組画像を生成することができる。
【００４２】
以上の構成によれば、各番組の映像データのＩピクチャをＣＰＵ１０でソフトウェアデコードして番組画像として番組情報とともに表示するようにしたことにより、簡易な構成で、ユーザに対しより詳細な番組の内容を提示することができる。
【００４３】
（４）他の実施の形態
なお上述の実施の形態においては、本発明をディジタルテレビジョン放送を受信して表示するディジタルテレビジョン装置に適用した場合について述べたが、本発明はこれに限らず、ディジタルテレビジョン放送の受信機能を具えた携帯電話機やパーソナルコンピュータ、さらには、ディジタルテレビジョン放送を受信して外部のモニタ等に表示させるディジタルテレビチューナやテレビジョン放送を受信して記録する各種ビデオテープレコーダ等、種々のテレビジョン放送受信装置に本発明を適用することができる。
【産業上の利用可能性】
【００４４】
本発明は、種々のテレビジョン受信機に本適用できる。
【図面の簡単な説明】
【００４５】
【図１】ディジタルテレビジョン装置の全体構成を示すブロック図である。
【図２】番組画像取得処理手順のフローチャートである。
【図３】メモリマッピングを表す略線図である。
【図４】ＥＰＧ画面の略線図である。
【図５】情報表示領域の説明に供する略線図である。
【符号の説明】
【００４６】
１……ディジタルテレビジョン装置、１０……ＣＰＵ、１１……メインチューナ、１２Ａ、１２Ｂ……サブチューナ、１３……メインデマルチプレクサ、１４Ａ、１４Ｂ……サブマルチプレクサ、１５……切換スイッチ、１６……ＩＥＥＥ１３９４ポート、１７……ＨＤＤストリームバッファ、１８……ハードディスクドライブ、１９……ＭＰＥＧビデオデコーダ、２０……映像表示部。
【手続補正３】
【補正対象書類名】図面
【補正対象項目名】図２
【補正方法】変更
【補正の内容】
【図２】
2005347871.tif 000001